(57)【要約】【課題】無線通信システムのＵＥ（ユーザー端末）においてＰＤＵ（プロトコルデータユニット）を伝送する方法及び装置を提供する。【解決手段】方法は、プロトコルエンティティーで、最初のＰＤＵが、前端がセグメント化されたＰＤＵの残余セグメントで、最後のＰＤＵが、後端がセグメント化されたＰＤＵの残余セグメントであるＰＤＵシーケンスを含んだリオーダーＰＤＵを受信する段階と、前記リオーダーＰＤＵが前に保存されたＰＤＵセグメントの連続でなければ、前記最初のＰＤＵと前に保存されたＰＤＵセグメントを廃棄する段階と、前記リオーダーＰＤＵのうち最初のＰＤＵ及び最後のＰＤＵと異なるＰＤＵを前記プロトコルエンティティーの上位層プロトコルエンティティーに伝送するとともに、前記最後のＰＤＵを保存する段階とを含む。【選択図】図４
2008278503.tif 000002
【特許請求の範囲】
【請求項１】
無線通信システムのＵＥ（ユーザー端末）においてＰＤＵ（プロトコルデータユニット）を伝送する方法であって、
プロトコルエンティティーで、最初のＰＤＵが、前端がセグメント化されたＰＤＵの残余セグメントで、最後のＰＤＵが、後端がセグメント化されたＰＤＵの残余セグメントであるＰＤＵシーケンスを含んだリオーダーＰＤＵを受信する段階と、
前記リオーダーＰＤＵが前に保存されたＰＤＵセグメントの連続でなければ、前記最初のＰＤＵと前に保存されたＰＤＵセグメントを廃棄する段階と、
前記リオーダーＰＤＵのうち最初のＰＤＵ及び最後のＰＤＵと異なるＰＤＵを前記プロトコルエンティティーの上位層プロトコルエンティティーに伝送するとともに、前記最後のＰＤＵを保存する段階とを含むＰＤＵの伝送方法。
【請求項２】
前記リオーダーＰＤＵが前に保存されたＰＤＵセグメントの連続でなければ、前記最初のＰＤＵと前に保存されたＰＤＵセグメントを廃棄する段階は、前に何のＰＤＵセグメントも保存されていない場合に、前記最初のＰＤＵと前に保存されたＰＤＵセグメントを廃棄することを内容とする、請求項１に記載のＰＤＵの伝送方法。
【請求項３】
前記前に保存されたＰＤＵセグメントは、その他後端がセグメント化されたＰＤＵの残余セグメントである、請求項１に記載のＰＤＵの伝送方法。
【請求項４】
前記方法は更に、
前記リオーダーＰＤＵに対応するセグメント化指示ヘッダフィールドに基づいて、そのリオーダーＰＤＵのうち最初のＰＤＵと最後のＰＤＵのセグメント化有無とセグメント化形式を判断する段階を含む、請求項１に記載のＰＤＵの伝送方法。
【請求項５】
前記リオーダーＰＤＵはＭＡＣ−ｅｈｓ（エンハンスド高速媒体アクセス制御）  ＰＤＵの中で運ばれる、請求項４に記載のＰＤＵの伝送方法。
【請求項６】
前記方法は更に、
前記リオーダーＰＤＵに対応する伝送シーケンス番号ヘッダフィールドまたはセグメント化指示ヘッダフィールドに基づいて、そのリーダーＰＤＵが前に保存されたＰＤＵの連続であるかどうかを判断する段階を含む、請求項１に記載のＰＤＵの伝送方法。
【請求項７】
前記ＰＤＵシーケンスは連続したＰＤＵであり、このＰＤＵはＭＡＣ−ｅｈｓ  ＳＤＵ（サービスデータユニット）、ＭＡＣ−ｄ（専用ＭＡＣ）  ＰＤＵまたはＭＡＣ−ｃ（共通ＭＡＣ）  ＰＤＵである、請求項１に記載のＰＤＵの伝送方法。
【請求項８】
前記無線通信システムはエボルブドＨＳＰＡ（高速パケットアクセス）システムである、請求項１に記載のＰＤＵの伝送方法。
【請求項９】
無線通信システムにおいてＰＤＵを伝送するための通信装置であって、
通信装置の機能を実現する制御回路と、
制御回路の中に設けられ、プログラムコードを実行して制御回路を制御するＣＰＵ（中央処理装置）と、
制御回路の中にＣＰＵと結合するように設けられ、プログラムコードを記憶する記憶装置とを含み、前記プログラムコードは、
プロトコルエンティティーで、最初のＰＤＵが、前端がセグメント化されたＰＤＵの残余セグメントで、最後のＰＤＵが、後端がセグメント化されたＰＤＵの残余セグメントであるＰＤＵシーケンスを含んだリオーダーＰＤＵを受信するコードと、
前記リオーダーＰＤＵが前に保存されたＰＤＵセグメントの連続でなければ、前記最初のＰＤＵと前に保存されたＰＤＵセグメントを廃棄するコードと、
前記リオーダーＰＤＵのうち最初のＰＤＵ及び最後のＰＤＵと異なるＰＤＵを前記プロトコルエンティティーの上位層プロトコルエンティティーに伝送するとともに、前記最後のＰＤＵを保存するコードとを含む通信装置。
【請求項１０】
前記リオーダーＰＤＵが前に保存されたＰＤＵセグメントの連続でなければ、前記最初のＰＤＵと前に保存されたＰＤＵセグメントを廃棄するコードは、前に何のＰＤＵセグメントも保存されていない場合に、前記最初のＰＤＵと前に保存されたＰＤＵセグメントを廃棄することを内容とする、請求項９に記載の通信装置。
【請求項１１】
前記前に保存されたＰＤＵセグメントは、その他後端がセグメント化されたＰＤＵの残余セグメントである、請求項９に記載の通信装置。
【請求項１２】
前記プログラムコードは更に、
前記リオーダーＰＤＵに対応するセグメント化指示ヘッダフィールドに基づいて、そのリオーダーＰＤＵのうち最初のＰＤＵと最後のＰＤＵのセグメント化有無とセグメント化形式を判断するコードを含む、請求項９に記載の通信装置。
【請求項１３】
前記リオーダーＰＤＵはＭＡＣ−ｅｈｓ  ＰＤＵの中で運ばれる、請求項１２に記載の通信装置。
【請求項１４】
前記プログラムコードは更に、
前記リオーダーＰＤＵに対応する伝送シーケンス番号ヘッダフィールドまたはセグメント化指示ヘッダフィールドに基づいて、そのリーダーＰＤＵが前に保存されたＰＤＵの連続であるかどうかを判断する段階を含む、請求項９に記載の通信装置。
【請求項１５】
前記ＰＤＵシーケンスは連続したＰＤＵであり、このＰＤＵはＭＡＣ−ｅｈｓ  ＳＤＵ、ＭＡＣ−ｄ  ＰＤＵまたはＭＡＣ−ｃ  ＰＤＵである、請求項９に記載の通信装置。
【請求項１６】
前記無線通信システムはエボルブドＨＳＰＡシステムである、請求項９に記載の通信装置。
【発明の詳細な説明】
【技術分野】
【０００１】
本発明は無線通信システムのＵＥ（ユーザー端末）においてＰＤＵ（プロトコルデータユニット）を伝送する方法及び装置に関し、特に無線通信システムのＵＥにおいて連結を改善し、ＭＡＣ−ｅｈｓ（エンハンスド高速媒体アクセス制御）  ＰＤＵを伝送する方法及び装置に関する。
【背景技術】
【０００２】
第三世代移動通信技術はＷＣＤＭＡ（広帯域多元分割接続）方式で高スペクトル利用効率、高カバー率、優れた通話品質と高速のマルチメディアデータ伝送を実現するとともに、種々のＱｏＳ（サービス品質）要求を満足させ、柔軟性のある双方向通信の実現し、よりよい通信品質の提供し、通話中断率を低減させる。
【０００３】
従来の技術では、ＲＬＣ（無線リンク制御）層から出力されたすべてのＰＤＵ（プロトコルデータユニット）は長さが同じである。しかし、そうなると帯域幅の使用効率とパケットデータの処理効率が低下し、特に高速伝送システムの応用例、例えば第三世代移動通信システムのＨＳＤＰＡ（高速ダウンリンクパケットアクセス）とＨＳＵＰＡ（高速アップリンクパケットアクセス）にとっては不利である。したがって、第三世代移動通信システムの高速伝送応用に関して、３ＧＰＰ（第三世代パートナーシッププロジェクト）はＨＳＤＰＡ技術のＭＡＣ（媒体アクセス制御）層について改正を行った。この改正では、可変長のＲＬＣ  ＰＤＵ（無線リンク制御プロトコルデータユニット）を採用し、ＭＡＣ層にＰＤＵのセグメント化機能を設けることで、帯域幅の使用効率とパケットデータの処理効率を向上させ、ＭＩＭＯ（多重入出力）及び高次変調技術など物理層技術による高い伝送速度を可能にする。
【０００４】
したがって、従来の技術では、可変長ＲＬＣ  ＰＤＵのセグメント化とリアセンブリ（再組み立て）をサポートするために、ＭＡＣ層にＭＡＣ−ｅｈｓ（エンハンスド高速ＭＡＣ）プロトコルエンティティーを新設した。また、データ処理の弾力性を向上させるために、前記ＭＡＣ−ｅｈｓプロトコルエンティティーは、１ＴＴＩ（送信時間間隔）において複数の優先待ち行列のデータをＭＡＣ−ｅｈｓ  ＰＤＵに多重伝送する。ＭＡＣ−ｅｈｓエンティティーの動作方法の詳細については、３ＧＰＰが制定したＭＡＣ通信プロトコル仕様を参照すればよく、ここで説明を省略する。
【０００５】
図１を参照する。図１は従来のＭＡＣ−ｅｈｓ  ＰＤＵを表す説明図である。ＭＡＣ−ｅｈｓ  ＰＤＵには複数のリオーダーＰＤＵ（Ｒ＿ＰＤＵｎ）とそれに対応するＭＡＣ−ｅｈｓヘッダが含まれている。各リオーダーＰＤＵには、同じ優先待ち行列に対応する、連続した少なくとも１つのＭＡＣ−ｅｈｓ  ＳＤＵ（サービスデータユニット）、またはＭＡＣ−ｅｈｓ  ＳＤＵのセグメントが含まれている。ＭＡＣ−ｅｈｓ  ＳＤＵ（すなわち上位層ＰＤＵ）は、ＭＡＣ−ｃ（共通ＭＡＣ）  ＰＤＵまたはＭＡＣ−ｄ（専用ＭＡＣ）ＰＤＵである。ＭＡＣ−ｅｈｓ  ＰＤＵのヘッダでは、各リオーダーＰＤＵは論理チャネル識別子フィールドＬＣＨ−ＩＤｎ、長さ情報フィールドＬｎ、伝送シーケンス番号フィールドＴＳＮｎ、セグメント化指示フィールドＳＩｎ、及びヘッダ拡張フィールドＦｎに対応する。論理チャネル識別子フィールドＬＣＨ−ＩＤｎは各リオーダーＰＤＵに対応する優先待ち行列を指示し、優先待ち行列と論理チャネルの対応関係は上位層によって定められる。長さ情報フィールドＬｎは各リオーダーＰＤＵのデータ長を示し、伝送シーケンス番号フィールドＴＳＮｎは、対応する優先待ち行列でリオーダーを行うために、各リオーダーＰＤＵの伝送シーケンス番号を示す。セグメント化指示フィールドＳＩｎは再組み立ての参考として、各リオーダーＰＤＵに含まれたＭＡＣ−ｅｈｓ  ＳＤＵのセグメント化の有無とセグメント化形式を示し、ヘッダ拡張フィールドＦｎは次のリオーダーＰＤＵの有無を示す。
【０００６】
したがって、ＵＥでＭＡＣ−ｅｈｓ  ＰＤＵを受信すると、まず各リオーダーＰＤＵに対応する論理チャネル識別子フィールドＬＣＨ−ＩＤｎと伝送シーケンス番号フィールドＴＳＮｎに基づいて、各リオーダーＰＤＵを対応する優先待ち行列に割り当て、リオーダーを行う。各優先待ち行列では、ＵＥで最後に受信したリオーダーＰＤＵが前に保存されたＭＡＣ−ｅｈｓ  ＳＤＵのセグメントの連続であると判断した場合に、セグメント化指示フィールドＳＩｎに基づいて、リオーダーＰＤＵと前に保存したＭＡＣ−ｅｈｓ  ＳＤＵのセグメントを連結するなど再組み立てを行い、完全なＭＡＣ−ｅｈｓ  ＳＤＵのセグメントを上位層通信プロトコルに伝送する。
【０００７】
上記ＭＡＣプロトコル仕様によれば、セグメント化指示フィールドは２ビットで、下記４種類の内容がある。
１．「００」：リオーダーＰＤＵのうち最初のＭＡＣ−ｅｈｓ  ＳＤＵと最後のＭＡＣ−ｅｈｓ  ＳＤＵがいずれも完全な上位層ＰＤＵであることを示す。
２．「０１」：リオーダーＰＤＵのうち最初のＭＡＣ−ｅｈｓ  ＳＤＵが前端がセグメント化された上位層ＰＤＵセグメントであり、リオーダーＰＤＵに１以上のＭＡＣ−ｅｈｓ  ＳＤＵが含まれれば、最後のＭＡＣ−ｅｈｓ  ＳＤＵが完全な上位層ＰＤＵであることを示す。
３．「１０」：リオーダーＰＤＵのうち最後のＭＡＣ−ｅｈｓ  ＳＤＵが後端がセグメント化された上位層ＰＤＵセグメントであり、リオーダーＰＤＵに１以上のＭＡＣ−ｅｈｓ  ＳＤＵが含まれれば、最初のＭＡＣ−ｅｈｓ  ＳＤＵが完全な上位層ＰＤＵであることを示す。
４．「１１」：リオーダーＰＤＵのうち最初のＭＡＣ−ｅｈｓ  ＳＤＵが前端がセグメント化された上位層ＰＤＵセグメントであり、最後のＭＡＣ−ｅｈｓ  ＳＤＵが後端がセグメント化された上位層ＰＤＵセグメントであることを示す。
【０００８】
従来の技術では、セグメント化指示フィールドが「１１」のリオーダーＰＤＵを受信したとき、ＵＥはまずそのリオーダーＰＤＵの伝送シーケンス番号またはセグメント化指示フィールドに基づいて、当該リオーダーＰＤＵが前に保存されたＰＤＵセグメントの連続であるかどうかを判断しうる。当該リオーダーＰＤＵが前に保存されたＰＤＵセグメントの連続であれば、当該リオーダーＰＤＵのうち最初のＭＡＣ−ｅｈｓ  ＳＤＵセグメントを前に保存されたＰＤＵセグメントと連結する。当該リオーダーＰＤＵに１つのＭＡＣ−Ｅｅｈｓ  ＳＤＵしか含まれていなければ、すなわちリオーダーＰＤＵに、前端がセグメント化され、かつ後端もセグメント化された上位層ＰＤＵセグメントが１つしか含まれていない場合では、リオーダーＰＤＵのうち最初のＭＡＣ−ｅｈｓ  ＳＤＵと前に保存されたＰＤＵセグメントを連結したものが完全な上位層ＰＤＵではないので、従来の技術ではそれにより連結して形成した上位層ＰＤＵセグメントを保存し、後に受信するリオーダーＰＤＵとの連結に備える。
【０００９】
また、当該リオーダーＰＤＵに１つ以上のＭＡＣ−Ｅｅｈｓ  ＳＤＵが含まれていれば、すなわちリオーダーＰＤＵに少なくとも前端がセグメント化された上位層ＰＤＵセグメントと、後端がセグメント化された上位層ＰＤＵセグメントが含まれている場合では、リオーダーＰＤＵのうち最初のＭＡＣ−ｅｈｓ  ＳＤＵを前に保存されたＰＤＵセグメントと連結すれば完全なＭＡＣ−ｅｈｓ  ＳＤＵとなる。この場合、従来の技術ではそれにより連結して形成した完全なＭＡＣ−ｅｈｓ  ＳＤＵと、上記リオーダーＰＤＵのうちその他完全なＭＡＣ−ｅｈｓ  ＳＤＵを上位層通信プロトコルに順次伝送する（例えばデマルチプレクスプロトコルエンティティーを通して対応する論理チャネルに伝送する）。最後に、上記リオーダーＰＤＵのうち最後のＭＡＣ−ｅｈｓ  ＳＤＵを保存し、後に受信するリオーダーＰＤＵとの連結に備える。
【００１０】
それに反して、上記リオーダーＰＤＵが前に保存されたＰＤＵセグメントの連続でなければ、従来の技術では、後に受信するリオーダーＰＤＵを前に保存されたＰＤＵセグメントと誤って連結し、誤った上位層ＰＤＵを生成することを避けるために、当該リオーダーＰＤＵのうち最初のＭＡＣ−ｅｈｓ  ＳＤＵセグメントと前に保存されたＰＤＵセグメントを廃棄する。
【００１１】
しかし、オーダーＰＤＵが前に保存されたＰＤＵセグメントの連続でない場合、従来の技術は、リオーダーＰＤＵのうちその他完全なＭＡＣ−ｅｈｓ  ＳＤＵを上位層通信プロトコルに伝送する段階と、リオーダーＰＤＵのうち最後のＭＡＣ−ｅｈｓ  ＳＤＵを保存する段階を含まないので、特定の状況、例えばリオーダーＰＤＵに１つ以上のＭＡＣ−ｅｈｓ  ＰＤＵが含まれ場合では、データ伝送の遅延か紛失を引き起こすおそれがある。
【発明の開示】
【発明が解決しようとする課題】
【００１２】
本発明は、無線通信システムのＵＥにおいてＰＤＵを伝送する方法及び装置の提供を課題とする。
【課題を解決するための手段】
【００１３】
本発明では、無線通信システムのＵＥ（ユーザー端末）においてＰＤＵ（プロトコルデータユニット）を伝送する方法を掲示する。当該方法は、プロトコルエンティティーで、最初のＰＤＵが、前端がセグメント化されたＰＤＵの残余セグメントで、最後のＰＤＵが、後端がセグメント化されたＰＤＵの残余セグメントであるＰＤＵシーケンスを含んだリオーダーＰＤＵを受信する段階と、前記リオーダーＰＤＵが前に保存されたＰＤＵセグメントの連続でなければ、前記最初のＰＤＵと前に保存されたＰＤＵセグメントを廃棄する段階と、前記リオーダーＰＤＵのうち最初のＰＤＵ及び最後のＰＤＵと異なるＰＤＵを前記プロトコルエンティティーの上位層プロトコルエンティティーに伝送するとともに、前記最後のＰＤＵを保存する段階とを含む。
【００１４】
本発明では更に、無線通信システムにおいてＰＤＵを伝送するための通信装置を掲示する。当該通信装置は、通信装置の機能を実現する制御回路と、制御回路の中に設けられ、プログラムコードを実行して制御回路を制御するＣＰＵ（中央処理装置）と、制御回路の中にＣＰＵと結合するように設けられ、プログラムコードを記憶する記憶装置とを含む。前記プログラムコードは、プロトコルエンティティーで、最初のＰＤＵが、前端がセグメント化されたＰＤＵの残余セグメントで、最後のＰＤＵが、後端がセグメント化されたＰＤＵの残余セグメントであるＰＤＵシーケンスを含んだリオーダーＰＤＵを受信するコードと、前記リオーダーＰＤＵが前に保存されたＰＤＵセグメントの連続でなければ、前記最初のＰＤＵと前に保存されたＰＤＵセグメントを廃棄するコードと、前記リオーダーＰＤＵのうち最初のＰＤＵ及び最後のＰＤＵと異なるＰＤＵを前記プロトコルエンティティーの上位層プロトコルエンティティーに伝送するとともに、前記最後のＰＤＵを保存するコードとを含む。
【発明を実施するための最良の形態】
【００１５】
かかる方法及び装置の特徴を詳述するために、具体的な実施例を挙げ、図を参照にして以下に説明する。
【００１６】
図２を参照する。図２は無線通信装置１００のブロック図である。説明を簡潔にするため、図２では無線通信装置１００の入力装置１０２、出力装置１０４、制御回路１０６、ＣＰＵ（中央処理装置）１０８、記憶装置１１０、プログラムコード１１２及びトランシーバー１１４のみ示している。無線通信装置１００では、制御回路１０６はＣＰＵ１０８を通して記憶装置１１０に記録されたプログラムコード１１２を実行することで、無線通信装置１００の動作を制御し、入力装置１０２（例えばキーボード）でユーザーが入力した信号を受信し、出力装置１０４（スクリーン、スピーカーなど）で映像、音声などの信号を出力する。無線信号を受発信するトランシーバー１１４は受信した信号を制御回路１０６に送信し、または制御回路１０６による信号を無線で出力する。言い換えれば、通信プロトコルの構造に当てはめれば、トランシーバー１１４は第一層の一部とみなされ、制御回路１０６は第二層と第三層の機能を実現する。
【００１７】
図３を参照する。図３は図２に示すプログラムコード１１２を表す説明図である。プログラムコード１１２はアプリケーション層２００と、第三層インターフェイス２０２と第二層インターフェイス２０６を備え、第一層インターフェイス２１８と接続されている。信号を発するとき、第二層インターフェイス２０６は第三層インターフェイス２０２から出力されたデータに基づいて、複数のＳＤＵ２０８を形成してバッファ２１２に保存する。その後、第二層インターフェイス２０６はバッファ２１２に保存されたＳＤＵ２０８に基づいて複数のＰＤＵ２１４を生成し、これらのＰＤＵ２１４を第一層インターフェイスを通して送信先に出力する。それに反して、無線信号を受信するときは、第一層インターフェイス２１８で信号を受信し、受信した信号をＰＤＵ２１４として第二層インターフェイス２０６に出力する。第二層インターフェイス２０６はこのＰＤＵ２１４をＳＤＵ２０８に還元してバッファ２１２に保存する。最後に、第二層インターフェイス２０６はバッファ２１２に保存されたＳＤＵ２０８を第三層インターフェイス２０２に送信する。望ましくは、無線通信装置１００はエボルブドＨＳＰＡ（高速パケットアクセス）システムで実施され、第二層インターフェイス２０６は、ＭＡＣ−ｅｈｓ  ＰＤＵを処理するＭＡＣ−ｅｈｓインターフェイスである。
【００１８】
無線通信装置１００でＭＡＣ−ｅｈｓ  ＰＤＵを受信したとき、まずそのＭＡＣ−ｅｈｓ  ＰＤＵのうち各リオーダーＰＤＵを対応する待ち行列に割り当て、リオーダー及びリアセンブリ（再組み立て）処理を行う。それに鑑みて、ＰＤＵを正確に伝送し、データ伝送の遅延か紛失を避けるために、本発明ではＰＤＵ伝送プログラムコード２２０を提供する。図４を参照する。図４は本発明の実施例による方法３０のフローチャートである。下記方法３０は無線通信システムのＵＥにおいてＰＤＵ伝送に用いられ、ＰＤＵ伝送プログラムコード２２０としてコンパイルすることができる。
【００１９】
ステップ３００：開始。
ステップ３０２：プロトコルエンティティーでリオーダーＰＤＵを受信する。このリオーダーＰＤＵはＰＤＵシーケンスを含み、当該ＰＤＵシーケンスのうち最初のＰＤＵは前端がセグメント化されたＰＤＵの残余セグメントであり、最後のＰＤＵは後端がセグメント化されたＰＤＵの残余セグメントである。
ステップ３０４：上記リオーダーＰＤＵが前に保存されたＰＤＵセグメントの連続でなければ、上記最初のＰＤＵと前に保存されたＰＤＵセグメントを廃棄する。
ステップ３０６：上記リオーダーＰＤＵのうち最初のＰＤＵ及び最後のＰＤＵと異なるＰＤＵを上記プロトコルエンティティーの上位層プロトコルエンティティーに伝送するとともに、当該最後のＰＤＵを保存する。
ステップ３０８：終了。
【００２０】
以上のように、本発明の実施例ではまず、優先待ち行列でリオーダーＰＤＵを受信する。このリオーダーＰＤＵはＭＡＣ−ｅｈｓ  ＰＤＵの中で運ばれ、ＰＤＵシーケンスを含む。当該ＰＤＵシーケンスのうち最初のＰＤＵは前端がセグメント化されたＰＤＵの残余セグメントであり、最後のＰＤＵは後端がセグメント化されたＰＤＵの残余セグメントである。上記リオーダーＰＤＵが前に保存されたＰＤＵセグメントの連続でなければ、本発明の実施例では、後に受信するリオーダーＰＤＵと前に保存されたＰＤＵセグメントを誤って連結するのを避けるために、上記最初のＰＤＵと前に保存されたＰＤＵセグメントを廃棄する。最後に、本発明の実施例では、上記リオーダーＰＤＵのうち最初のＰＤＵ及び最後のＰＤＵと異なるＰＤＵを上記プロトコルエンティティーの上位層プロトコルエンティティーに伝送するとともに、当該最後のＰＤＵを保存する。
【００２１】
言い換えれば、ＵＥで受信されたリオーダーＰＤＵのうち最初のＰＤＵが、前端がセグメント化された上位層ＰＤＵセグメントで、最後のＰＤＵが、後端がセグメント化されたＰＤＵの残余セグメントである場合に、当該リオーダーＰＤＵが前に保存されたＰＤＵセグメントの連続でなければ、本発明の実施例では当該リオーダーＰＤＵのうち最初のＰＤＵと前に保存されたＰＤＵセグメントを廃棄するほか、更に当該リオーダーＰＤＵのうちその他完全なＭＡＣ−ｅｈｓ  ＳＤＵを上位層通信プロトコルに伝送し（例えばデマルチプレクスプロトコルエンティティーを通して対応する論理チャネルに伝送する）、当該リオーダーＰＤＵのうち最後のＰＤＵを保存する。そうすると、無線通信装置１００は受信したリオーダーＰＤＵを正確に伝送・連結し、従来の技術のようなデータ送信の遅延か紛失を回避することができる。
【００２２】
注意すべきは、上記ステップ３０４で、リオーダーＰＤＵが前に保存されたＰＤＵセグメントの連続ではない状況は、前に何のＰＤＵセグメントも保存されていない場合を含みうる。この場合、本発明の実施例では、上記最初のＰＤＵと前に保存されたＰＤＵセグメントを廃棄する。
【００２３】
また、ＵＥで受信されたリオーダーＰＤＵに、前端がセグメント化された上位層ＰＤＵセグメントが１個しか含まれていない場合、すなわち当該リオーダーＰＤＵに、前端がセグメント化され、かつ後端もセグメント化された上位層ＰＤＵセグメントが１つしか含まれていない場合でも、無線通信装置１００は前記方法３０で、受信したリオーダーＰＤＵを正確に処理することができる。これも、本発明の範囲に属する。もっとも、本発明の実施例として、前記方法３０は更に、ＭＡＣ−ｅｈｓ  ＰＤＵのうち各リオーダーＰＤＵに対応するセグメント化指示ヘッダフィールドに基づいて、そのリオーダーＰＤＵのうち最初のＰＤＵと最後のＰＤＵのセグメント化の有無とセグメント化形式を判断する段階と、ＭＡＣ−ｅｈｓ  ＰＤＵのうち各リオーダーＰＤＵに対応する伝送シーケンス番号ヘッダフィールドに基づいて、そのリーダーＰＤＵが前に保存されたＰＤＵの連続であるかどうかを判断する段階を含むことができる。これは当業者に周知のため、ここで説明を省略する。
【００２４】
まとめていえば、ＵＥで受信したＰＤＵの、最初のＰＤＵが、前端がセグメント化された上位層ＰＤＵセグメントで、最後のＰＤＵが、後端がセグメント化された上位層ＰＤＵセグメントであって、かつ前に保存されたＰＤＵセグメントの連続でなければ、本発明の実施例では当該リオーダーＰＤＵのうち最初のＰＤＵと前に保存されたＰＤＵセグメントを廃棄するほか、更に当該リオーダーＰＤＵのうち完全なＰＤＵを上位層通信プロトコルに伝送し、当該リオーダーＰＤＵのうち最後のＰＤＵを保存することで、従来の技術のようなデータ送信の遅延か紛失問題を改善する。
【００２５】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【図面の簡単な説明】
【００２６】
【図１】従来のＭＡＣ−ｅｈｓ  ＰＤＵを表す説明図である。
【図２】無線通信装置のブロック図である。
【図３】図２に示すプログラムコードを表す説明図である。
【図４】本発明の実施例による方法のフローチャートである。
【符号の説明】
【００２７】
１００  無線通信装置
１０２  入力装置
１０４  出力装置
１０６  制御回路
１０８  ＣＰＵ
１１０  記憶装置
１１２  プログラムコード
１１４  トランシーバー
２００  アプリケーション層
２０２  第三層インターフェイス
２０６  第二層インターフェイス
２１２  バッファ
２１８  第一層インターフェイス
２２０  ＰＤＵ伝送プログラムコード
【図１】
2008278503.tif 000003
【図２】
2008278503.tif 000004
【図３】
2008278503.tif 000005
【図４】
2008278503.tif 000006